(57)【要約】【課題】藻場礁における海藻類の繁茂を促進するとともに、沿岸海域に発生する磯焼けを広範囲に抑制する。【解決手段】藻場礁は、海中に設置され、磯焼け現象を抑制するとともに、海藻類を繁茂させるためのものであって、収容空間Ｓを囲むように設けられ、その内外で海水が流通可能に構成された枠体２と、収容空間Ｓ内に詰め込まれるとともに、海水が流通可能な隙間を有するように配置される複数の石材４と、石材４間の隙間を通って流通する海水の流れが当たるように収容空間Ｓ内に石材４に対して水平方向に隣接して収容され、フミン質を放出可能なフミン質供給体６とを備えている。【選択図】図１
2010068784.tif 000002
【特許請求の範囲】
【請求項１】
海中に設置され、磯焼け現象を抑制するとともに、海藻類を繁茂させるための藻場礁であって、
所定の収容空間を囲むように設けられ、その内外で海水が流通可能に構成された枠体と、
前記収容空間内に詰め込まれるとともに、海水が流通可能な隙間を有するように配置される複数の石材と、
前記石材間の隙間を通って流通する海水の流れが当たるように前記収容空間内に前記石材に対して水平方向に隣接して収容され、フミン質を放出可能なフミン質供給体とを備えた、藻場礁。
【請求項２】
前記枠体は、前記収容空間内で前記フミン質供給体が上方から着脱可能に挿入可能な挿入空間を囲む部分を有する、請求項１に記載の藻場礁。
【請求項３】
前記挿入空間の上部を覆うように前記枠体に対して着脱可能に取り付けられる蓋部を備える、請求項２に記載の藻場礁。
【請求項４】
前記挿入空間の上部を覆うように前記枠体に対して取り付けられる蓋部を備え、
前記蓋部には、外部から前記挿入空間内への前記フミン質供給体の通過を許容する一方、前記挿入空間内から外部への前記フミン質供給体の通過を阻止する開口部が設けられている、請求項２に記載の藻場礁。
【請求項５】
前記フミン質供給体は、フミン質供給材が内部に封入され、そのフミン質供給材から溶出したフミン質が浸出可能な内袋と、その内袋が周囲にさらにフミン質供給材が充填された状態で封入され、フミン質が浸出可能な外袋とを含む、請求項１〜４のいずれか１項に記載の藻場礁。
【請求項６】
前記枠体の少なくとも一部は、鉄を含む材料からなる、請求項１〜５のいずれか１項に記載の藻場礁。
【発明の詳細な説明】
【技術分野】
【０００１】
本発明は、磯焼け現象を抑制するとともに、海藻を繁茂させるための藻場礁に関する。
【背景技術】
【０００２】
従来、沿岸海域には有用海藻類が繁茂する藻場が存在し、この藻場は海洋生物にとって餌場や生育場、産卵場等として重要な役割を担う場所となっている。このような藻場において、近年、今まで岩盤や岩で繁茂していた有用海藻類が育たずに死滅し、岩肌が露出するとともにその岩肌が石灰藻で覆われてしまういわゆる磯焼けと呼ばれる現象が見られている。このような磯焼けは、海藻を採取する漁師に被害を与えるとともに、海藻を住みかとしている魚介類の生態系にも悪影響を及ぼす。下記特許文献１には、このような磯焼けの問題を解消するための技術の一例が示されている。
【０００３】
下記特許文献１に示されている技術は、磯焼けの抑制に効果のある腐植酸等のフミン質を供給する供給体を岩石が詰められた蛇籠とともに磯焼けを生じた海域や、その海域の上流側の水域に設置するものである。具体的には、前記供給体を麻袋に詰めたものを蛇籠の岩石上に設置するとともに、それらを前記海域又は水域に沈めて設置している。これにより、前記供給体から溶出したフミン質が麻袋を透過して拡散し、磯焼けを生じた海域に供給されるようになっている。フミン質は、有用海藻類の栄養となってその海藻類の繁茂を促進するとともに、前記石灰藻の増殖を抑える効果を有している。すなわち、フミン質が供給されることにより、前記石灰藻の増殖が抑制されて岩肌が石灰藻で覆われるのが防止される。そして、その岩肌に着床した胞子から海藻類の成育が可能となり、その海藻類がさらにフミン質の栄養を得て繁茂し、その結果、前記磯焼けが抑制される。
【特許文献１】特開２００３−９２号公報
【発明の開示】
【発明が解決しようとする課題】
【０００４】
上記特許文献１に示された技術によれば、前記供給体が設けられた蛇籠の岩石やその蛇籠の近傍では、フミン質を供給して海藻類の繁茂を促進するとともに磯焼けを抑制することが可能かもしれないが、フミン質の拡散が不十分となる虞があり、沿岸海域に発生する磯焼けを広範囲に抑制することが困難となる。
【０００５】
本発明は、上記の課題を解決するためになされたものであり、その目的は、藻場礁における海藻類の繁茂を促進するとともに、沿岸海域に発生する磯焼けを広範囲に抑制することである。
【課題を解決するための手段】
【０００６】
上記目的を達成するために、本発明による藻場礁は、海中に設置され、磯焼け現象を抑制するとともに、海藻類を繁茂させるための藻場礁であって、所定の収容空間を囲むように設けられ、その内外で海水が流通可能に構成された枠体と、前記収容空間内に詰め込まれるとともに、海水が流通可能な隙間を有するように配置される複数の石材と、前記石材間の隙間を通って流通する海水の流れが当たるように前記収容空間内に前記石材に対して水平方向に隣接して収容され、フミン質を放出可能なフミン質供給体とを備えている。
【０００７】
この藻場礁では、収容空間を囲む枠体がその内外で海水が流通可能に構成されているとともに、枠体内の収容空間に複数の石材が海水を流通可能な隙間を有するように配置されるので、潮流や海流が外部から枠体を透過して収容空間内に流れ込み、その流れが石材間の隙間を通って渦流が発生する。そして、この藻場礁では、フミン質供給体が石材間の隙間を通って流通する海水の流れが当たるように収容空間内に石材に対して水平方向に隣接して収容されているので、前記渦流がフミン質供給体に当たり、そのフミン質供給体から放出されたフミン質が渦流に乗って広範囲に拡散する。これに対して、従来のように供給体を石材上に配置する場合には、略水平方向に流れる潮流や海流が石材間の隙間を通ることによって発生する渦流が供給体に当たりにくく、フミン質の拡散性が悪くなる。本発明による藻場礁では、上記のように石材の水平方向に隣接してフミン質供給体が配置されることに起因して前記渦流が良好にフミン質供給体に当たり、フミン質の拡散性が向上するため、従来の供給体を石材上に配置する構成に比べて、より広範囲に亘る磯焼けを抑制することができる。また、フミン質は、藻場礁に着床する海藻類の栄養となるため、藻場礁における海藻類の繁茂を促進することができる。従って、この藻場礁では、藻場礁における海藻類の繁茂を促進するとともに、藻場礁の周辺の沿岸海域に発生する磯焼けを広範囲に抑制することができる。
【０００８】
上記藻場礁において、前記枠体は、前記収容空間内で前記フミン質供給体が上方から着脱可能に挿入可能な挿入空間を囲む部分を有することが好ましい。
【０００９】
このように構成すれば、枠体内に石材とフミン質供給体がランダムに収容される構成に比べて、フミン質供給体を石材に邪魔されずに着脱し易くなるので、フミン質供給体から放出されるフミン質が減少してなくなった時にそのフミン質供給体の交換作業を容易に行うことができる。
【００１０】
この場合において、前記挿入空間の上部を覆うように前記枠体に対して着脱可能に取り付けられる蓋部を備えることが好ましい。
【００１１】
このように構成すれば、挿入空間内に挿入されたフミン質供給体を蓋部で押さえることができ、潮流や海流によってフミン質供給体が流されるのを確実に防ぐことができる。そして、この構成では、蓋部が枠体に対して着脱可能に取り付けられるので、フミン質供給体の交換作業時には、蓋部を枠体から取り外してフミン質供給体を容易に交換することができる。
【００１２】
上記枠体が挿入空間を囲む部分を有する構成において、前記挿入空間の上部を覆うように前記枠体に対して取り付けられる蓋部を備え、前記蓋部には、外部から前記挿入空間内への前記フミン質供給体の通過を許容する一方、前記挿入空間内から外部への前記フミン質供給体の通過を阻止する開口部が設けられていてもよい。
【００１３】
このように構成すれば、蓋部を取り外すことなく海上からフミン質供給体を前記開口部を通じて挿入空間に挿入することができるので、挿入空間へのフミン質供給体の設置作業が容易になる一方、挿入空間に一旦収容されたフミン質供給体が海流等により前記開口部から飛び出して流されるのを防ぐことができる。すなわち、挿入空間へのフミン質供給体の設置の容易性と、その挿入空間内でのフミン質供給体の確実な保持とを両立させることができる。
【００１４】
上記藻場礁において、前記フミン質供給体は、フミン質供給材が内部に封入され、そのフミン質供給材から溶出したフミン質が浸出可能な内袋と、その内袋が周囲にさらにフミン質供給材が充填された状態で封入され、フミン質が浸出可能な外袋とを含むことが好ましい。
【００１５】
このように構成すれば、外袋内で内袋の周囲に充填されたフミン質供給材から溶出したフミン質がまず外袋の外部に浸出して拡散し、その後、時間経過とともに外袋内で内袋の周囲のフミン質の濃度が減少するのに伴って内袋からフミン質が溶出して拡散する。すなわち、この構成では、フミン質の浸出、拡散が内袋と外袋とによって２段階に構成されるため、１重の袋のみにフミン質供給材が充填されている場合に比べて長期間に亘ってフミン質を海中に供給し続けることができる。その結果、長期間に亘って、藻場礁での海藻類の繁茂を促進するとともに、周辺海域における磯焼けを抑制することができる。
【００１６】
上記藻場礁において、前記枠体の少なくとも一部は、鉄を含む材料からなることが好ましい。
【００１７】
このように構成すれば、枠体から海中にＦｅ（ＩＩ）イオン（二価の鉄イオン）が溶出し、この溶出したＦｅ（ＩＩ）イオンは海藻類が摂取できる鉄の最適な形態であるため、海藻類に容易に取り込まれる。すなわち、海藻類の生長に必須の成分である鉄を海藻類に容易に取り込ませることができるので、海藻類の繁茂をより促進することができる。
【発明の効果】
【００１８】
以上説明したように、本発明の藻場礁によれば、藻場礁における海藻類の繁茂を促進することができるとともに、沿岸海域に発生する磯焼けを広範囲に抑制することができる。
【発明を実施するための最良の形態】
【００１９】
以下、本発明の実施形態を図面を参照して説明する。
【００２０】
図１は、本発明の一実施形態による藻場礁の一部分解斜視図である。図２は、図１に示した藻場礁を構成する枠体２の分解斜視図であり、図３は、枠体２内に石材４が詰め込まれた状態を示す斜視図である。図４は、図１に示した藻場礁に含まれるフミン質供給体６の構成を示した概略図である。この図１〜図４を参照して、本発明の一実施形態による藻場礁の構成について説明する。
【００２１】
本実施形態による藻場礁は、海中に設置され、磯焼け現象を抑制するとともに、海藻類を繁茂させるためのものである。
【００２２】
具体的には、この藻場礁は、図１に示すように、枠体２と、多数の石材４と、フミン質供給体６とを備えている。
【００２３】
枠体２は、鋼製であり、図２に示すように収容空間Ｓを囲むように設けられているとともに、その内外で海水が流通可能に構成されている。この枠体２は、底部２ａと、囲い部２ｂと、仕切部２ｃと、天枠部２ｄとを有する。
【００２４】
底部２ａは、４本のＨ形鋼が矩形状に組み付けられるとともに、そのＨ形鋼で囲まれた部分に複数の鋼材が水平方向に隙間をあけて配設されることによって構成されている。
【００２５】
囲い部２ｂは、底部２ａの外縁を構成する前記４本のＨ形鋼上に立設されている。この囲い部２ｂは、複数の鋼材が柵状に組み付けられて構成されており、収容空間Ｓの周囲四方を囲っている。
【００２６】
仕切部２ｃは、収容空間Ｓを４つの等しい大きさの矩形状の空間Ｓ１〜Ｓ４に仕切っている。この仕切部２ｃによって仕切られた４つの空間Ｓ１〜Ｓ４のうち一方の対角に配置された２つの空間Ｓ１，Ｓ２は、前記石材４が詰め込まれる石材収容空間Ｓ１，Ｓ２となっており、他方の対角に配置された２つの空間Ｓ３，Ｓ４は、前記フミン質供給体６が上方から着脱可能に挿入可能な供給体挿入空間Ｓ３，Ｓ４となっている。なお、供給体挿入空間Ｓ３，Ｓ４は、本発明の挿入空間の概念に含まれるものである。仕切部２ｃは、収容空間Ｓの中央に立設された２つの支柱部２ｅ，２ｅと、各支柱部２ｅから囲い部２ｂの４つの各側面の長手方向中間部に向かって水平に延びる複数の鉄筋２ｆとによって構成されている。複数の鉄筋２ｆは、上下に間隔をあけて設けられており、前記各空間Ｓ１〜Ｓ４の間はこの鉄筋２ｆによって仕切られている。すなわち、前記石材収容空間Ｓ１，Ｓ２及び前記供給体挿入空間Ｓ３，Ｓ４は、それぞれ、それらの側方の２辺が前記囲い部２ｂの対応する部分で囲まれているとともに、残りの側方の２辺が仕切部２ｃの対応する鉄筋２ｆによって囲まれている。そして、石材収容空間Ｓ１，Ｓ２及び供給体挿入空間Ｓ３，Ｓ４は、上部が開口となっており、石材収容空間Ｓ１，Ｓ２には、その上部から石材４が詰め込まれる一方、供給体挿入空間Ｓ３，Ｓ４には、その上部からフミン質供給体６が挿入されるようになっている。
【００２７】
天枠部２ｄは、囲い部２ｂの上面に取り付けられている。この天枠部２ｄは、外縁部２ｈと、区画部２ｉと、覆部２ｊとからなる。外縁部２ｈは、鋼製の細い板材が矩形状に組み合わされて構成されており、囲い部２ｂ上に取り付けられる部分である。区画部２ｉは、外縁部２ｈと同様の細い板材からなり、外縁部２ｈに対して十字に組み付けられてその外縁部２ｈで囲まれた領域を４つの等しい大きさの矩形状の領域に区画している。この区画部２ｉによって区画された４つの矩形状の領域は、前記石材収容空間Ｓ１，Ｓ２、前記供給体挿入空間Ｓ３，Ｓ４のそれぞれの空間に対応している。覆部２ｊは、区画部２ｉによって区画された４つの矩形状の領域のうち前記石材収容空間Ｓ１，Ｓ２に対応する２つの領域に設けられており、前記石材収容空間Ｓ１，Ｓ２上をそれぞれ覆うように配設されている。この覆部２ｊは、間隔をあけて縦横に配された複数の鉄筋によって構成されている。区画部２ｉによって区画された４つの領域のうち覆部２ｊによって覆われていない残りの２つの領域、すなわち、前記供給体挿入空間Ｓ３，Ｓ４に対応する領域はそれぞれ開口となっている。
【００２８】
そして、供給体挿入空間Ｓ３，Ｓ４にフミン質供給体６がそれぞれ収容された状態で前記天枠部２ｄの各開口、すなわち供給体挿入空間Ｓ３，Ｓ４上をそれぞれ覆うように２つの蓋部８が天枠部２ｄに取り付けられている。各蓋部８は、通水性の蓋材（例えばグレーチング等の通水可能な多数の開口を有する蓋材）からなり、天枠部２ｄに対して着脱可能に取り付けられる。具体的には、蓋部８は、天枠部２ｄに対して図略の結束バンドによって結び付けられており、その結束バンドを切断することによって天枠部２ｄから蓋部８を取り外せるようになっている。このように蓋部８が天枠部２ｄに対して着脱可能であることにより、フミン質供給体６から放出されるフミン質が減少してなくなった時には、藻場礁を海中に設置したままの状態で蓋部８を取り外してフミン質供給体６を新しいものと交換し、その後、蓋部８を取り付け直すことによって容易にフミン質供給体６の交換が行えるようになっている。
【００２９】
また、鋼製の枠体２からは海水中に高濃度のＦｅ（ＩＩ）イオンが溶出する。鉄は、海藻類にとって光合成色素の生合成や、呼吸や、摂取した硝酸塩を体内で還元するための硝酸還元酵素等に関与している。このため、海藻類は、鉄を摂取しないとリン、窒素等を体内に取り込むことができず、生長することができない。前記枠体２から溶出するＦｅ（ＩＩ）イオンは、海水中に溶存し、粒子状のＦｅ（ＩＩＩ）と異なり、海藻類の細胞膜を容易に通過し、海藻類の体内に摂取される。換言すれば、Ｆｅ（ＩＩ）イオンは、海藻類が摂取できる鉄の最適な形態であり、海藻類に容易に取り込まれる。その結果、海藻類の生長が促進され、海藻類の繁茂が促進される。
【００３０】
石材４は、海藻類の胞子が着床し、海藻類が生長する基盤となるものであり、図３に示すように枠体２内の石材収容空間Ｓ１，Ｓ２に多数詰め込まれている。そして、各石材４は、石材収容空間Ｓ１，Ｓ２内で各石材４間に海水が流通可能な隙間が形成されるように積み上げられている。これにより、外部から枠体２の囲い部２ｂを構成する各鋼材間の隙間を通って潮流や海流が流れ込むとともに、その流れが各石材４間の隙間を通り、渦流が作り出されるようになっている。
【００３１】
フミン質供給体６は、フミン質を放出可能に構成されており、供給体挿入空間Ｓ３，Ｓ４にそれぞれ収容されている。このフミン質供給体６は、前記各石材４間の隙間を通って流通する海水の流れが当たるように前記石材４に対して水平方向に隣接して配設されている。詳細には、石材収容空間Ｓ１，Ｓ２の水平方向に隣接する供給体挿入空間Ｓ３，Ｓ４にフミン質供給体６が収容されることによって、フミン質供給体６と石材収容空間Ｓ１，Ｓ２に収容された石材４とが水平方向に隣接するように配置されており、各石材４間の隙間を通ってできた前記渦流が仕切部２ｃの鉄筋２ｆ間の隙間を通って石材収容空間Ｓ１，Ｓ２から供給体挿入空間Ｓ３，Ｓ４に流れ込み、その供給体挿入空間Ｓ３，Ｓ４内のフミン質供給体６に当たるようになっている。そして、フミン質供給体６から放出されるフミン質は、このフミン質供給体６に当たる渦流に乗り、囲い部２ｂを構成する鋼材間の隙間を通って外部へ流れ出すとともに、藻場礁の周辺の広範囲に拡散する。同時に、フミン質供給体６から放出されるフミン質は、隣接する石材４の周囲にも供給される。
【００３２】
そして、フミン質供給体６は、図４に示すように、内袋６ａと、外袋６ｂとを備えている。
【００３３】
内袋６ａには、砂状から粒状のフミン質供給材が所定量封入されている。フミン質供給材は、低品質の石炭、ニトロフミン及びフミン酸の混合物を砂状から粒状にしたものであり、水に溶解することによってフミン質を放出する。内袋６ａは、ポリプロピレン製の細かい目の網材からなる小袋であり、内部で海水中に溶出したフミン質が外部に浸出可能となっている。
【００３４】
外袋６ｂには、複数の内袋６ａがそれらの周囲にさらにフミン質供給材が充填された状態で封入されている。この外袋６ｂは、内袋６ａよりも大きな袋であり、内袋６ａと同じ材質によって形成されている。これにより、外袋６ｂは、内部で海水中に溶出したフミン質が外部に浸出可能となっている。外袋６ｂ内では、内袋６ａの周囲に充填されたフミン質供給材がまず溶解してフミン質を放出し、そのフミン質が外袋６ｂの外部に浸出して拡散する。この時、内袋６ａの周囲には所定濃度のフミン質が存在するため、内袋６ａからのフミン質の浸出が制限を受け、その内袋６ａ内のフミン質はほとんど外部に浸出、拡散しない。そして、時間の経過とともに内袋６ａの周囲のフミン質の浸出、拡散が進行してその内袋６ａの周囲のフミン質の濃度が減少すると、内袋６ａからフミン質が浸出して拡散する。このように内袋６ａと外袋６ｂによってフミン質の浸出、拡散が２段階に構成されているため、フミン質供給体６から長期間に亘ってフミン質が海中に供給されるようになっている。
【００３５】
フミン質は、海藻類の栄養となって海藻類の繁茂を促進するとともに、石灰藻の生育を妨げる効果を有するものである。石灰藻は、大部分が炭酸カルシウムからなる光合成生物である。この石灰藻は、多数の胞子を放出し、その胞子が拡散することによって至る所の岩肌に付着して増殖する。そして、石灰藻は、岩肌に着床する海藻類の胞子を殺す物質を分泌すると考えられ、この石灰藻によって覆われた岩肌では海藻類が生育せず、いわゆる磯焼けが生じる。石灰藻の硬度は高く、石灰藻で岩肌が覆われてしまうと半永久的に海藻類が生育できなくなる。フミン質は、この石灰藻の胞子を構成する炭酸カルシウムの結晶化を阻害する効果を有しており、フミン質が存在する環境下では石灰藻の胞子は数日で死滅することが判っている。このため、フミン質供給体６から供給されるフミン質によって、藻場礁の石材４の表面に石灰藻が繁殖することが防がれてその石材４を基盤とする海藻類の繁茂が確保されるとともに、藻場礁の周辺に拡散するフミン質によってその周辺の広範囲に亘る岩肌において石灰藻の繁殖が抑制され、磯焼けが抑制される。
【００３６】
以上説明したように、本実施形態の藻場礁では、収容空間Ｓを囲む枠体２の囲い部２ｂがその内外で海水が流通可能に構成されているとともに、収容空間Ｓのうち石材収容空間Ｓ１，Ｓ２に多数の石材４が海水を流通可能な隙間を有するように配置されるので、潮流や海流が外部から枠体２の囲い部２ｂを透過して収容空間Ｓ内に流れ込み、その流れが石材４間の隙間を通って渦流が発生する。そして、本実施形態の藻場礁では、フミン質供給体６が石材間の隙間を通って流通する海水の流れが当たるように収容空間Ｓのうち供給体挿入空間Ｓ３，Ｓ４内に前記石材４に対して水平方向に隣接して収容されているので、前記渦流がフミン質供給体６に当たり、そのフミン質供給体６から放出されたフミン質が渦流に乗って広範囲に拡散する。
【００３７】
これに対して、従来のように供給体を石材上に配置する場合には、略水平方向に流れる潮流や海流が石材間の隙間を通ることによって発生する渦流が供給体に当たりにくく、フミン質の拡散性が悪くなる。本実施形態による藻場礁では、上記のように石材４の水平方向に隣接してフミン質供給体６が配置されることに起因して前記渦流が良好にフミン質供給体６に当たり、フミン質の拡散性が向上するため、従来の供給体を石材上に配置する構成に比べて、より広範囲に亘る磯焼けを抑制することができる。また、フミン質は、藻場礁に着床する海藻類の栄養となるため、藻場礁における海藻類の繁茂を促進することができる。従って、本実施形態では、藻場礁における海藻類の繁茂を促進するとともに、藻場礁の周辺の沿岸海域に発生する磯焼けを広範囲に抑制することができる。
【００３８】
また、本実施形態の藻場礁では、枠体２の囲い部２ｂ及び仕切部２ｃが、フミン質供給体６を上方から着脱可能に挿入可能な供給体挿入空間Ｓ３，Ｓ４を囲む部分を有するので、枠体内に石材４とフミン質供給体６がランダムに収容される構成に比べて、フミン質供給体６を石材４に邪魔されずに着脱し易くなる。このため、フミン質供給体６から放出されるフミン質が減少してなくなった時にそのフミン質供給体６の交換作業を容易に行うことができる。
【００３９】
また、本実施形態の藻場礁では、供給体挿入空間Ｓ３，Ｓ４の上部を覆うように枠体２に対して着脱可能に取り付けられる蓋部８が設けられているので、供給体挿入空間Ｓ３，Ｓ４内に挿入されたフミン質供給体６を蓋部８で押さえることができ、潮流や海流によってフミン質供給体６が流されるのを確実に防ぐことができる。そして、本実施形態では、蓋部８が枠体２に対して着脱可能に取り付けられるので、フミン質供給体６の交換作業時には、蓋部８を枠体２から取り外してフミン質供給体６を容易に交換することができる。
【００４０】
また、本実施形態の藻場礁では、フミン質供給体６は、フミン質供給材が内部に封入され、そのフミン質供給材から溶出したフミン質が浸出可能な内袋６ａと、その内袋６ａが周囲にさらにフミン質供給材が充填された状態で封入され、フミン質が浸出可能な外袋６ｂとを有するので、外袋６ｂ内で内袋６ａの周囲に充填されたフミン質供給材から溶出したフミン質がまず外袋６ｂの外部に浸出して拡散し、その後、時間経過とともに外袋６ｂ内で内袋６ａの周囲のフミン質の濃度が減少するのに伴って内袋６ａからフミン質が溶出して拡散する。すなわち、本実施形態では、フミン質の浸出、拡散が内袋６ａと外袋６ｂとによって２段階に構成されるため、１重の袋のみにフミン質供給材が充填されている場合に比べて長期間に亘ってフミン質を海中に供給し続けることができる。その結果、長期間に亘って、藻場礁での海藻類の繁茂を促進するとともに、周辺海域における磯焼けを抑制することができる。
【００４１】
また、本実施形態の藻場礁では、枠体２が鋼製であるため、枠体２から海中にＦｅ（ＩＩ）イオンが溶出する。この溶出したＦｅ（ＩＩ）イオンは海藻類が摂取できる鉄の最適な形態であるため、海藻類に容易に取り込まれる。すなわち、海藻類の生長に必須の成分である鉄を海藻類に容易に取り込ませることができるので、海藻類の繁茂をより促進することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００４３】
例えば、図５及び図６に示す上記実施形態の第１変形例のように、供給体挿入空間Ｓ３，Ｓ４の上部を覆う蓋部１０に開口部１０ａが設けられていてもよい。
【００４４】
この第１変形例による蓋部１０に設けられた開口部１０ａは、外部から供給体挿入空間Ｓ３，Ｓ４内へのフミン質供給体６の通過を許容する一方、供給体挿入空間Ｓ３，Ｓ４内から外部へのフミン質供給体６の通過を阻止するように構成されている。
【００４５】
具体的には、蓋部１０は、図５に示すように通水性の蓋材によって構成されており、枠体２の天枠部２ｄ（図２参照）に固定されている。この蓋部１０は、図６に示すように、当該蓋部１０の幅方向両端部から幅方向中央部へ向かうにつれて傾斜しながら下方に延びる一対の傾斜部１０ｂ，１０ｃを有する。これら一対の傾斜部１０ｂ，１０ｃのうち一方の傾斜部１０ｂは他方の傾斜部１０ｃよりも長くなっており、両傾斜部１０ｂ，１０ｃは、互い違いに配置されている。これにより、一方の傾斜部１０ｂの下端部が他方の傾斜部１０ｃから下側に離れて配置されている。両傾斜部１０ｂ，１０ｃ間には、隙間が設けられており、この隙間がこの蓋部１０における開口部１０ａとなっている。
【００４６】
そして、開口部１０ａは、フミン質供給体６が上から通過可能な大きさとなっている。これにより、図６に示すように、例えば漁業者が海上からフミン質供給体６を開口部１０ａを通じて供給体挿入空間Ｓ３，Ｓ４に押し込むことが可能となっている。一方、供給体挿入空間Ｓ３，Ｓ４に一旦収容されたフミン質供給体６は、海流等によって浮き上がったとしても、前記一方の傾斜部１０ｂの下端部に当たって開口部１０ａから飛び出すことが阻止されるようになっている。なお、上記実施形態と異なり、この第１変形例のように各供給体挿入空間Ｓ３，Ｓ４にそれぞれ複数のフミン質供給体６を収容するようにしてもよい。
【００４７】
この第１変形例の構成によれば、蓋部１０を取り外すことなく海上からフミン質供給体６を開口部１０ａを通じて供給体挿入空間Ｓ３，Ｓ４に挿入することができるので、供給体挿入空間Ｓ３，Ｓ４へのフミン質供給体６の設置作業が容易になる一方、供給体挿入空間Ｓ３，Ｓ４に一旦収容されたフミン質供給体６が海流等により開口部１０ａから飛び出して流されるのを防ぐことができる。すなわち、供給体挿入空間Ｓ３，Ｓ４へのフミン質供給体６の設置の容易性と、その供給体挿入空間Ｓ３，Ｓ４内でのフミン質供給体６の確実な保持とを両立させることができる。
【００４８】
また、図７及び図８に示す上記実施形態の第２変形例のように、外部から供給体挿入空間Ｓ３，Ｓ４内へのフミン質供給体６の通過を許容する一方、供給体挿入空間Ｓ３，Ｓ４内から外部へのフミン質供給体６の通過を阻止する開口部１２ａを有する別の構成の蓋部１２も考えられる。
【００４９】
この第２変形例による蓋部１２は、上記第１変形例と同様に枠体２の天枠部２ｄ（図２参照）に固定されている。この蓋部１２は、図７に示すように、天枠部２ｄに固定される矩形状の外枠部１２ｂと、その外枠部１２ｂの内側に固定されている円環状の第１円枠部１２ｃと、その第１円枠部１２ｃの内側に同軸に配置されている円環状の第２円枠部１２ｄと、第１円枠部１２ｃの周方向に等間隔で配設され、第１円枠部１２ｃの内周面から径方向内側に向かって斜め下へ延びる複数の弾性変形部１２ｅとによって構成されている。弾性変形部１２ｅは、弾性変形可能な材料からなっている。また、各弾性変形部１２ｅは、その中間部で第２円枠部１２ｄに結合されており、一体となっている。そして、各弾性変形部１２ｅで囲まれることによって蓋部１２の中央部に開口部１２ａが形成されている。この開口部１２ａの大きさは、各弾性変形部１２ｅが変形していない状態ではフミン質供給体６よりも少し小さくなっている。そして、図８に示すようにフミン質供給体６を上方から開口部１２ａに押し込むことによって、各弾性変形部１２ｅは、その下端部が径方向外側へ広がるように弾性変形して開口部１２ａが広がり、供給体挿入空間Ｓ３，Ｓ４へのフミン質供給体６の通過が可能となる。一方、供給体挿入空間Ｓ３，Ｓ４に収容されたフミン質供給体６は、海流等によって浮き上がったとしても、弾性変形部１２ｅの下端部に当たって開口部１２ａから飛び出さないようになっている。
【００５０】
この第２変形例の構成でも、上記第１変形例と同様に、蓋部１２を取り外すことなく海上からフミン質供給体６を開口部１２ａを通じて供給体挿入空間Ｓ３，Ｓ４に挿入することができる一方、供給体挿入空間Ｓ３，Ｓ４に一旦収容されたフミン質供給体６が海流等により開口部１２ａから飛び出して流されるのを防ぐことができるので、供給体挿入空間Ｓ３，Ｓ４へのフミン質供給体６の設置の容易性と、その供給体挿入空間Ｓ３，Ｓ４内でのフミン質供給体６の確実な保持とを両立させることができる。
【００５１】
なお、上記第１変形例及び第２変形例の構成では、フミン質供給体６から放出されるフミン質が減少してなくなったとしても、そのフミン質供給体６を回収することが困難であるため、フミン質供給体６を構成する内袋６ａ及び外袋６ｂは、生分解性の素材からなることが好ましい。このような生分解性の内袋６ａ及び外袋６ｂは、時間経過とともに生分解され、供給体挿入空間Ｓ３，Ｓ４内に残らないので、回収が不要となる。
【００５２】
また、上記実施形態では、供給体挿入空間Ｓ３，Ｓ４にフミン質供給体６のみを収容する構成を例にとって説明したが、供給体挿入空間Ｓ３，Ｓ４内にフミン質供給体６に加えてその周りを囲むように石材が収容されていてもよい。
【００５３】
また、収容空間Ｓに石材４及びフミン質供給体６を収容する構成は、上記実施形態で示した構成に限らない。例えば、仕切部２ｃを省略して収容空間Ｓ内に上記以外の配置で石材４とフミン質供給体６を収容してもよく、また、上記以外の構成の仕切部を用いて収容空間Ｓ内を種々の形状の空間に仕切ってそれら各空間に石材４とフミン質供給体６をそれぞれ収容するようにしてもよい。
【００５４】
また、収容空間Ｓにおいて石材４に対して少なくとも水平方向に隣接してフミン質供給体６が収容されていればよく、それら互いに水平方向に隣接して配置された石材４とフミン質供給体６の上方や下方にさらに別の石材やフミン質供給体が配設されていてもよい。
【００５５】
また、上記実施形態では、枠体２が、フミン質供給体６を上方から挿入可能な供給体挿入空間Ｓ３，Ｓ４を囲む部分を有しているが、この構成に限らない。すなわち、枠体２が、フミン質供給体６を上方以外の種々の方向、例えば側方から着脱可能に挿入可能な挿入空間を囲む部分を有していてもよい。
【００５６】
また、枠体２は、鋼以外の鉄を含む材料によって形成されていてもよい。
【図面の簡単な説明】
【００５７】
【図１】本発明の一実施形態による藻場礁の一部分解斜視図である。
【図２】図１に示した藻場礁を構成する枠体の分解斜視図である。
【図３】図２に示した枠体内に石材が詰め込まれた状態を示す斜視図である。
【図４】図１に示した藻場礁に含まれるフミン質供給体の構成を示した概略図である。
【図５】本発明の一実施形態の第１変形例による藻場礁の蓋部を示した平面図である。
【図６】図５に示す第１変形例の蓋部で覆った供給体挿入空間にフミン質供給体を投入する状態を概略的に示した模式図である。
【図７】本発明の一実施形態の第２変形例による藻場礁の蓋部を示した平面図である。
【図８】図７に示す第２変形例の蓋部で覆った供給体挿入空間にフミン質供給体を投入する状態を概略的に示した模式図である。
【符号の説明】
【００５８】
２  枠体
４  石材
６  フミン質供給体
６ａ  内袋
６ｂ  外袋
８、１０、１２  蓋部
１０ａ、１２ａ  開口部
Ｓ  収容空間
Ｓ１、Ｓ２  石材収容空間
Ｓ３、Ｓ４  供給体挿入空間（挿入空間）
【図１】
2010068784.tif 000003
【図２】
2010068784.tif 000004
【図３】
2010068784.tif 000005
【図４】
2010068784.tif 000006
【図５】
2010068784.tif 000007
【図６】
2010068784.tif 000008
【図７】
2010068784.tif 000009
【図８】
2010068784.tif 000010